(57)【要約】【課題】停復電制御に関し、電源系統単位での管理を可能とする。【解決手段】コントローラ１は、自機への給電状態を認識する認識部１１と、認識部１１による認識結果に基づいて、停復電制御を行う制御部１２と、制御部１２による停復電制御の状態を管理する管理部１３とを有し、監視装置２は、管理部１３により管理されている停復電制御の状態を取得する取得部２３と、取得部２３による取得結果から、電源系統単位で、停復電制御の状態を管理する管理部２４とを有する。【選択図】図１
2019022180.tif 000002
【特許請求の範囲】
【請求項１】
複数のデバイス、及び、当該デバイスを管理する監視装置を備え、
前記デバイスは、
自機への給電状態を認識する個別認識部と、
前記個別認識部による認識結果に基づいて、停復電制御を行う制御部と、
前記制御部による停復電制御の状態を管理する個別管理部とを有し、
前記監視装置は、
前記個別管理部により管理されている停復電制御の状態を取得する取得部と、
前記取得部による取得結果から、電源系統単位で、停復電制御の状態を管理する統合管理部とを有する
ことを特徴とする監視システム。
【請求項２】
前記監視装置は、
電源系統毎に給電状態を認識する統合認識部を有する
ことを特徴とする請求項１記載の監視システム。
【請求項３】
前記統合管理部は、前記取得部による取得結果及び前記統合認識部による認識結果から、電源系統単位で、停復電制御の状態を管理する
ことを特徴とする請求項２記載の監視システム。
【請求項４】
前記監視装置は、
前記統合認識部により認識された給電状態が停電となった場合に、該当する電源系統における自家発電装置による自家発給電が開始された後に、当該自家発給電で動作させたい機器の起動指令を当該電源系統に属する前記デバイスに対して行う自家発制御部と、
前記統合管理部により管理されている停復電制御の状態が復電待ちとなった場合に、復電指令を受付ける受付部と、
前記受付部により復電指令が受付けられた場合に、該当する電源系統に属する前記デバイスに対して復電指令を通知する復電指令通知部とを有し、
前記制御部は、
前記個別認識部により認識された給電状態が停電となった場合に、停電処理を行う停電処理部と、
前記個別認識部により認識された給電状態が商用給電となり、且つ、前記復電指令通知部により復電指令が通知された場合に、復電処理を行う復電処理部とを有する
ことを特徴とする請求項２又は請求項３記載の監視システム。
【発明の詳細な説明】
【技術分野】
【０００１】
この発明は、停復電制御を行う監視システムに関する。
【背景技術】
【０００２】
従来から、ビル等の施設に設置された機器の管理を行う監視システムが知られている（例えば特許文献１参照）。この種の監視システムでは、図８に示すように、複数の下位コントローラ（デバイス）１０１を介して機器の管理を行う複数の上位コントローラ（デバイス）１０２と、当該上位コントローラ１０２の管理を行う監視装置１０３とを備えている。
【先行技術文献】
【特許文献】
【０００３】
【特許文献１】特開平８−６５７５９号公報
【発明の概要】
【発明が解決しようとする課題】
【０００４】
一方、監視システムでは、停復電制御と呼ばれる制御も行っている。停復電制御とは、商用電源の停電時に自家発電装置による給電を行い、商用電源の復電時に自動又はユーザ操作により商用電源による給電を再開する制御を指す。
【０００５】
上述の監視システムにおける停復電制御では、上位コントローラ１０２が自機への給電状態を認識する。給電状態としては、商用電源（不図示）により給電が行われていることを示す商用給電、停電、及び自家発電装置（不図示）により給電が行われていることを示す自家発給電がある。なお図８では、商用電源及び自家発電装置と下位コントローラ１０１及び上位コントローラ１０２との間の電力線の図示を省略している。そして、上位コントローラ１０２は、認識した給電状態を下位コントローラ１０１に通知する。
【０００６】
そして、上位コントローラ１０２は、認識した給電状態が停電である場合には、自家発電装置による自家発給電が開始された後に、当該自家発給電で動作させたい機器の起動指令を下位コントローラ１０１に対して行う自家発制御を行う。また、下位コントローラ１０１は、通知された給電状態が停電である場合には、停電処理を行う。
また、上位コントローラ１０２は、停復電の制御状態（停電中ステータス）を管理する。停電中ステータスとしては、正常、停電中及び復電待ちがある。また、上位コントローラ１０２は、管理している停電中ステータスを監視装置１０３に通知する。そして、監視装置１０３は、通知された停電中ステータスを監視用モニタに表示する（図９参照）。図９の例では、監視装置１０３が管理している上位コントローラ１０２のうち、「Ｂ−ＢＣ」及び「ＳＣＳ」と呼ばれる上位コントローラ１０２の停電中ステータスが停電中であることを示している。
【０００７】
また、監視装置１０３は、通知された停電中ステータスが復電待ちである場合には、ユーザからの復電指令の受付けを行う。なお、復電指令は上位コントローラ１０２毎に受付けられる。そして、監視装置１０３は、復電指令を受付けた場合には、該当する上位コントローラ１０２に対して復電指令を通知する。そして、上位コントローラ１０２は、停電中ステータスが復電待ちであり、且つ、監視装置１０３から復電指令が通知された場合には、下位コントローラ１０１に対する復電指令の通知を行う。
【０００８】
上記のように、監視装置１０３では、上位コントローラ１０２毎に、停電中ステータスの表示及び復電指令の受付けを行っている。すなわち、監視装置１０３では、図９に示すように、停復電制御に関し、上位コントローラ１０２単位で管理を行っている。
しかしながら、この監視システムでは、停復電制御に関し、電源系統単位での管理を行うことはできないという課題があった。
【０００９】
この発明は、上記のような課題を解決するためになされたもので、停復電制御に関し、電源系統単位での管理が可能な監視システムを提供することを目的としている。
【課題を解決するための手段】
【００１０】
この発明に係る監視システムは、複数のデバイス、及び、当該デバイスを管理する監視装置を備え、デバイスは、自機への給電状態を認識する個別認識部と、個別認識部による認識結果に基づいて、停復電制御を行う制御部と、制御部による停復電制御の状態を管理する個別管理部とを有し、監視装置は、個別管理部により管理されている停復電制御の状態を取得する取得部と、取得部による取得結果から、電源系統単位で、停復電制御の状態を管理する統合管理部とを有することを特徴とする。
【発明の効果】
【００１１】
この発明によれば、上記のように構成したので、停復電制御に関し、電源系統単位での管理が可能となる。
【図面の簡単な説明】
【００１２】
【図１】この発明の実施の形態１に係る監視システムの構成例を示す図である。
【図２】この発明の実施の形態１におけるコントローラの構成例を示す図である。
【図３】この発明の実施の形態１における監視装置の構成例を示す図である。
【図４】この発明の実施の形態１に係る監視システムの動作例を示すシーケンス図である。
【図５】この発明の実施の形態１に係る監視システムによる停復電制御に関する画面の表示例を示す図である。
【図６】この発明の実施の形態１に係る監視システムによる停復電制御に関する画面の別の表示例（部分停電時）を示す図である。
【図７】この発明の実施の形態１に係る監視システムによる停復電制御に関する画面の別の表示例（部分停電時）を示す図である。
【図８】従来の監視システムの構成例を示す図である。
【図９】従来の監視システムによる停復電制御に関する画面の表示例を示す図である。
【発明を実施するための形態】
【００１３】
以下、この発明の実施の形態について図面を参照しながら詳細に説明する。
実施の形態１．
図１はこの発明の実施の形態１に係る監視システムの構成例を示す図である。
監視システムは、ビル等の施設に設置された機器の管理を行う。この監視システムは、図１に示すように、複数のコントローラ（デバイス）１、及び監視装置２を備えている。図１では施設内の１つの電源系統に属するコントローラ１のみを図示しているが、電源系統は複数存在する。
【００１４】
コントローラ１は、通信回線を介して接続された機器（不図示）を管理する個別コントローラである。コントローラ１及び機器は、自機が属する電源系統における商用電源（不図示）又は自家発電装置（不図示）による給電により駆動する。なお図１では、商用電源及び自家発電装置とコントローラ１との間の電力線の図示を省略している。以下では、コントローラ１が有する機能のうち、停復電制御に関する機能についてのみ説明を行う。このコントローラ１は、図２に示すように、認識部（個別認識部）１１、制御部１２及び管理部（個別管理部）１３を有している。なお、コントローラ１は、システムＬＳＩ等の処理回路や、メモリ等に記憶されたプログラムを実行するＣＰＵ等により実現される。
【００１５】
認識部１１は、自機への給電状態を認識する。給電状態としては、商用電源により給電が行われていることを示す商用給電、停電、及び、自家発電装置により給電が行われていることを示す自家発給電がある。ここでは、認識部１１は、監視装置２の後述する通知部２２により通知された給電状態から上記認識を行うものとする。コントローラ１では、認識部１１で給電状態を認識することで、停電の発生及び復帰を認識できる。
【００１６】
制御部１２は、認識部１１による認識結果に基づいて、停復電制御を行う。制御部１２は、図２に示すように、停電処理部１２１及び復電処理部１２２を有している。
停電処理部１２１は、認識部１１により認識された給電状態が停電となった場合に、停電処理を行う。停電処理とは、機器に対する自家発電装置による給電の分配制御、及び、停止している機器に対し、復電処理部１２２による復電処理等のようにプライオリティの高い機能でしか起動できない状態とする制御を指す。すなわち、自家発電装置では給電量に限りがあるため、分配制御を行うとともに、停止している機器が復電処理等以外の他の機能により起動できないようにする。
復電処理部１２２は、認識部１１により認識された給電状態が商用給電となり、且つ、監視装置２により復電指令が通知された場合に、機器に対する復電処理を行う。
【００１７】
管理部１３は、制御部１２による停復電制御の状態（停電中ステータス）を管理する。停電中ステータスとしては、正常、停電中及び復電待ちがある。ここで、管理部１３は、制御部１２の停電処理部１２１により停止処理が行われた場合には、停電中ステータスを停電中とする。また、管理部１３は、認識部１１により認識された給電状態が商用給電となった場合には、停電中ステータスを復電待ちとする。また、管理部１３は、制御部１２の復電処理部１２２による復電処理が完了した場合には、停電中ステータスを正常とする。
【００１８】
監視装置２は、通信回線を介して接続されたコントローラ１を管理する統合コントローラである。以下では、監視装置２が有する機能のうち、停復電制御に関する機能についてのみ説明を行う。この監視装置２は、図３に示すように、認識部（統合認識部）２１、通知部２２、取得部２３、管理部（統合管理部）２４、表示部２５、自家発制御部２６、受付部２７及び復電指令通知部２８を有している。なお、監視装置２は、システムＬＳＩ等の処理回路や、メモリ等に記憶されたプログラムを実行するＣＰＵ等により実現される。
【００１９】
認識部２１は、電源系統毎に給電状態を認識する。認識部２１は、電源系統における商用電源及び自家発電装置からの給電有無を示すオンオフ信号を直接検出することで上記認識を行う。すなわち、認識部１１は、商用電源からのオンオフ信号がオンを示し、自家発電装置からのオンオフ信号がオフを示している場合には、給電状態が商用給電であると認識する。また、認識部１１は、商用電源からのオンオフ信号がオフを示し、自家発電装置からのオンオフ信号がオフを示している場合には、給電状態が停電であると認識する。また、認識部１１は、商用電源からのオンオフ信号がオフを示し、自家発電装置からのオンオフ信号がオンを示している場合には、給電状態が自家発給電であると認識する。監視装置２では、認識部２１で給電状態を認識することで、電源系統毎の停電の発生及び復帰を認識できる。なお図３では、監視装置２に認識部２１が設けられた場合を示したが、認識部２１は必須の構成ではなく、監視装置２から取除いてもよい。
【００２０】
通知部２２は、認識部２１により認識された給電状態を該当する電源系統に属するコントローラ１に通知する。
【００２１】
取得部２３は、コントローラ１の管理部１３により管理されている停電中ステータスを取得する。この取得部２３によるコントローラ１毎の停電中ステータスの取得処理は、周期的に行われる。
【００２２】
管理部２４は、認識部２１による認識結果及び取得部２３による取得結果から、電源系統単位で停電中ステータスを管理する。電源系統単位での停電中ステータスとしては、正常、停電中、復電待ち及び復電中がある。ここで、管理部２４は、電源系統に属する全てのコントローラ１の停電中ステータスが正常である場合には、当該電源系統の停電中ステータスを正常とする。また、管理部２４は、電源系統の給電状態が停電となった場合には、当該電源系統の停電中ステータスを停電中とする。また、管理部２４は、電源系統の給電状態が商用給電に復帰した場合には、当該電源系統の停電中ステータスを復電待ちとする。また、管理部２４は、受付部２７により復電指令が受付けられた場合に、当該電源系統の停電中ステータスを復電中とする。
【００２３】
表示部２５は、認識部２１により認識された電源系統毎の給電状態、及び、管理部２４に管理されている停電中ステータスを示す情報を、監視用モニタ（不図示）に表示する。また、表示部２５は、管理部２４に管理されている停電中ステータスが復電待ちとなった場合には、ユーザからの復電指令を受付けるためのアイコン等の表示を行う。なお図３では、監視装置２内に表示部２５が設けられた場合を示したが、これに限らず、監視装置２外に表示部２５が設けられてもよい。
【００２４】
自家発制御部２６は、認識部２１により認識された給電状態が停電となった場合に、該当する電源系統における自家発電装置による自家発給電が開始された後に、当該自家発給電で動作させたい機器（実際には空調や照明等）の起動指令を当該電源系統に属するコントローラ１に対して行う。
【００２５】
受付部２７は、管理部２４により管理されている停電中ステータスが復電待ちとなった場合に、ユーザからの復電指令を受付ける。受付部２７は、表示部２５により監視用モニタに表示された復電指令を受付けるためのアイコン等の表示に対するユーザ操作に応じ、復電指令を受付ける。この受付部２７による復電指令の受付け処理は、電源系統単位で行われる。
【００２６】
復電指令通知部２８は、受付部２７により復電指令が受付けられた場合に、該当する電源系統に属するコントローラ１に対して復電指令を通知する。なお、復電指令通知部２８は、事前に通知順序が設定されている場合には、上記電源系統に属するコントローラ１に対して当該通知順序に沿って復電指令を通知する。すなわち、施設によっては、優先的に起動させたいコントローラ１や起動する順序が決まっているものがあり、その場合には、復電指令通知部２８は、コントローラ１に対して個別に復電指令を通知する。なお、復電指令通知部２８は、事前に通知順序が設定されていない場合には、上記電源系統に属するコントローラ１に対してまとめて復電指令を通知してもよい。
【００２７】
次に、実施の形態１に係る監視システムによる停復電制御の一例について、図４を参照しながら説明する。
監視システムによる停復電制御では、図４に示すように、監視装置２の認識部２１は、電源系統毎に給電状態を認識する（ステップＳＴ１）。認識部２１は、電源系統における商用電源及び自家発電装置からの給電有無を示すオンオフ信号を直接検出することで上記認識を行う。
【００２８】
次いで、監視装置２の通知部２２は、認識部２１により認識された給電状態を該当する電源系統に属するコントローラ１に通知する（ステップＳＴ２）。
【００２９】
次いで、コントローラ１の認識部１１は、通知部２２により通知された給電状態から、自機への給電状態を認識する（ステップＳＴ３）。すなわち、認識部１１は、通知された給電状態が商用電源であれば、自機への給電状態が商用電源であると認識する。また、認識部１１は、通知された給電状態が停電であれば、自機への給電状態が停電であると認識する。また、認識部１１は、通知された給電状態が自家発給電であれば、自機への給電状態が自家発給電であると認識する。
【００３０】
次いで、コントローラ１の制御部１２は、認識部１１による認識結果に基づいて、停復電制御を行う（ステップＳＴ４）。
また、コントローラ１の管理部１３は、制御部１２による停復電制御の状態（停電中ステータス）を管理する（ステップＳＴ５）。
【００３１】
次いで、監視装置２の取得部２３は、コントローラ１の管理部１３により管理されている停電中ステータスを取得する（ステップＳＴ６）。この取得部２３による停電中ステータスの取得処理は、周期的に行われる。
【００３２】
次いで、監視装置２の管理部２４は、取得部２３による取得結果から、電源系統単位で停電中ステータスを管理する（ステップＳＴ７）。
【００３３】
次いで、監視装置２の表示部２５は、認識部２１により認識された電源系統毎の給電状態、及び、管理部２４に管理されている停電中ステータスを示す情報を、監視用モニタに表示する（ステップＳＴ８）。図５に表示部２５による停復電制御に関する画面の表示例を示す。図５の例では、第１の電源系統における停電中ステータスが停電中であることを示しており、停電中ステータスが電源系統毎に管理されている。
【００３４】
ここで、監視装置２の認識部２１により認識された給電状態が停電となった場合には、監視装置２の自家発制御部２６は、該当する電源系統における自家発電装置による自家発給電が開始された後に、当該自家発給電で動作させたい機器の起動指令を当該電源系統に属するコントローラ１に対して行う。また、上記電源系統に属するコントローラ１の停電処理部１２１は、停電処理を行う。
【００３５】
また、監視装置２の管理部２４により管理されている停電中ステータスが復電待ちとなった場合には、監視装置２の受付部２７は、ユーザからの復電指令を受付ける。そして、受付部２７により復電指令が受付けられた場合には、監視装置２の復電指令通知部２８は、上記電源系統に属するコントローラ１に対して復電指令を通知する。そして、上記電源系統に属するコントローラ１の復電処理部１２２は、復電指令通知部２８により復電指令が通知された場合に、復電処理を行う。
【００３６】
その後、監視装置２の管理部２４は、電源系統に属する全てのコントローラ１の停電中ステータスが復電待ちから正常となった場合には、当該電源系統の停電中ステータスを正常とする。なお、復電指令通知部２８は、一定期間の間に、管理部２４により管理されている停電中ステータスが復電待ちから正常とならない場合には、復電指令を再度通知する。
【００３７】
なお上記では、認識部１１が、監視装置２の通知部２２により通知された給電状態から上記認識を行う場合を示した。しかしながら、これに限らず、認識部１１は、自機が属する電源系統における商用電源及び自家発電装置からの給電有無を示すオンオフ信号を直接検出することで上記認識を行ってもよい。この場合での認識部１１による認識方法は、認識部２１による認識方法と同様であり、その説明を省略する。この場合、通知部２２による通知は不要となる。
【００３８】
ここで、コントローラ１によっては監視装置２との通信では給電状態を受け取れない場合があり、そのような場合には、コントローラ１が商用電源及び自家発電装置からのオンオフ信号を直接検出する手法が有効である。一方、商用電源及び自家発電装置からのオンオフ信号を検出することで給電状態の認識を行う手法では、上記オンオフ信号の検出タイミングにずれが生じると、監視装置２とコントローラ１との間で認識がずれる可能性がある。よって、基本的には、監視装置２がコントローラ１に対して給電状態を通知する手法を採用することが望ましい。
【００３９】
またこの場合において、監視装置２は、認識部２１により認識された給電状態が商用給電であるにもかかわらず、取得部２３により取得された停電中ステータスが停電中であるコントローラ１が存在する場合には、部分的な停電（部分停電）が発生したと判断できる。そこで、このような場合には、表示部２５は、例えば図６，７に示すように、該当するコントローラ１の停電中ステータスを示す情報を監視用モニタに表示し、ユーザへの通知を行ってもよい。この場合、上記コントローラ１の停電中ステータスが復電待ちとなった後、ユーザによる当該コントローラ１に対する復電指令を受付け、復電を行う。
図６に示す画面では、符号６０１で示されるコントローラ１（Ｊａｎｇ００１−ＭＶ０００１）の停電中ステータスのみが停電中となっており、部分停電が発生している。また、図６の示す画面の上部の停復電インジゲータ６０２が部分停電の発生により点灯する。そして、ユーザがこの停復電インジゲータ６０２をクリックすることで、図７に示す画面へ遷移する。図７では、停復電制御の一覧が表示されており、部分停電の発生が記されている。
【００４０】
また上記では、コントローラ１が停電処理を行う場合を示した。しかしながら、これに限らず、コントローラ１が停電処理を行う機能を有していない場合には、監視装置２が代行するように構成してもよい。この場合には、監視装置２に停電処理部１２１の機能が設けられる。
【００４１】
また上記では、監視装置２が自家発制御を行う場合を示した。しかしながら、これに限らず、コントローラ１が自家発制御を行うように構成してもよい。この場合には、コントローラ１に自家発制御部２６の機能が設けられる。
【００４２】
また上記では、図１に示すように、コントローラ１を用いた場合を示した。しかしながら、これに限らず、図８に示す従来構成のように、コントローラ１を、上位コントローラ及び下位コントローラに分けて構成してもよい。
【００４３】
以上のように、この実施の形態１によれば、コントローラ１は、自機への給電状態を認識する認識部１１と、認識部１１による認識結果に基づいて、停復電制御を行う制御部１２と、制御部１２による停復電制御の状態を管理する管理部１３とを有し、監視装置２は、管理部１３により管理されている停復電制御の状態を取得する取得部２３と、取得部２３による取得結果から、電源系統単位で、停復電制御の状態を管理する管理部２４とを有するので、停復電制御に関し、電源系統単位での管理が可能となる。
【００４４】
なお、本願発明はその発明の範囲内において、実施の形態の任意の構成要素の変形、もしくは実施の形態の任意の構成要素の省略が可能である。
【符号の説明】
【００４５】
１  コントローラ
２  監視装置
１１  認識部（個別認識部）
１２  制御部
１３  管理部（個別管理部）
２１  認識部（統合認識部）
２２  通知部
２３  取得部
２４  管理部（統合管理部）
２５  表示部
２６  自家発制御部
２７  受付部
２８  復電指令通知部
１２１  停電処理部
１２２  復電処理部
【図１】
2019022180.tif 000003
【図２】
2019022180.tif 000004
【図３】
2019022180.tif 000005
【図４】
2019022180.tif 000006
【図５】
2019022180.tif 000007
【図６】
2019022180.tif 000008
【図７】
2019022180.tif 000009
【図８】
2019022180.tif 000010
【図９】
2019022180.tif 000011